(57)【要約】【課題】保護継電装置の回路や動作の試験を容易に実施できる試験端子と試験方法を提供すること。【解決手段】  保護継電装置などの電力設備の制御電圧加圧側に装着される試験端子であって、制御電圧加圧時にアースとの間で流れる電流によって点灯する表示手段を備える。  この表示手段は、制御電圧の極性が正の時は加圧側からアース側へ電流を流し、極性が負のときはアース側から加圧側へ電流を流す電流方向制御手段と、夫々の電流方向によって、異なる発光素子が点灯するように形成する。【選択図】図１
2007322360.tif 000002
【特許請求の範囲】
【請求項１】
保護継電装置などの電力設備の制御電圧加圧側に装着される試験端子であって、制御電圧加圧時にアースとの間で流れる電流によって点灯する表示手段を備えたことを特徴とする試験端子。
【請求項２】
前記表示手段は、前記制御電圧の極性によって色別可能であることを特徴とする請求項１記載の試験端子。
【請求項３】
前記表示手段は、制御電圧の極性が正の時は加圧側からアース側へ電流を流し、極性が負のときはアース側から加圧側へ電流を流す電流方向制御手段と、夫々の電流方向によって、異なる発光素子が点灯するように形成されたことを特徴とする請求項２記載の試験端子。
【請求項４】
前記試験端子は前記表示手段とアースとを接続するためのアース側接続用端子を具備していることを特徴とする請求項１ないし３のいずれか一に記載の試験端子。
【請求項５】
請求項４記載の試験端子を用いて複数の試験端子への電圧の加圧状態を判定する方法であって、各試験端子の制御電圧加圧側と無加圧側との間に装着される短絡バーを外した状態において前記アース側接続用端子同士を接続してスイッチと抵抗を介してアースに接続した後、前記スイッチをＯＮしたときの前記表示手段の点灯状態に基づいて前記試験端子の電圧の有無および／または極性を判定することを特徴とする試験方法。
【発明の詳細な説明】
【技術分野】
【０００１】
本発明は保護継電装置などの遮断信号出力のロックや試験を行うために挿入されている試験端子に関する。
【背景技術】
【０００２】
従来、保護継電装置の動作を試験するための前記試験端子に電圧計やテスタを接続したり、試験回路を保護継電装置内に装備したりする技術が提案されている。たとえば、特許文献１には、保護継電装置内の試験端子の両端に試験回路を実装し、各試験端子に出力または加圧される電圧を試験回路に実装された放電管の点灯の有無で良否を検出する方法が提案されている。
【０００３】
しかしながら、上述の従来技術では保護継電装置に実装される試験回路の構成用品が多くなり、試験のための操作手順が複雑になるなどの問題がある。また、保護継電装置の外部に電圧計やテスタを接続する方法も、その測定器の管理や試験時に携帯しなければならないことなどにより、緊急時に間に合わないことや、テスタの操作を誤った場合は重大な事故を起こす危険性がある。さらに、試験端子に加圧される極性を判定したいという要望もある。
【特許文献１】実開平６―４７８７８号公報
【発明の開示】
【発明が解決しようとする課題】
【０００４】
本発明は上述のかかる事情に鑑みてなされたものであり、保護継電装置などの動作試験の検証を簡便に行うことのできる試験端子および試験方法を提供することを目的とする。
【課題を解決するための手段】
【０００５】
上記目的を達成するため、本発明に係わる試験端子は、保護継電装置などの電力設備の制御電圧加圧側に装着される試験端子であって、制御電圧加圧時にアースとの間で流れる電流によって点灯する表示手段を備えたことを特徴とする。
【０００６】
電力設備の試験端子に加圧される所内直流電源の電圧は、所内電源の地絡事故を検出する地絡保護継電装置により＋極と−極は、高抵抗でアースに接続されている。本発明では、この回路を利用して試験端子に電圧が加圧されるとＬＥＤ等の表示手段を点灯させるものである。なお、表示手段に替えて、音を発する発音手段を設けるようにしても良い。
【０００７】
また、本発明に係わる保護継電装置用試験端子の表示手段は、制御電圧の極性が正の時は加圧側からアース側へ電流を流し、極性が負のときはアース側から加圧側へ電流を流す電流方向制御手段と、夫々の電流方向によって、異なる発光素子が点灯するように形成されたことを特徴とする。
【０００８】
この表示手段は、たとえば、上述の所内電源の回路を利用して、１つは＋極性のときに点灯する発光手段と、もう１つは−極性のときに点灯する発光手段とを試験端子内に組み込み、その表示部を試験端子の先端または表面に取り付ける。これら発光手段からの配線の一方は電圧加圧側へ接続し、他方は外部に接続するスイッチと高抵抗を介してアースに接続するようにする。これにより、保護継電器が動作したときの各発光手段の点灯状態によって試験端子への電圧の有無と極性の判定が可能となる。
【０００９】
また、本発明に係る電力設備の試験方法は、表示手段とアースとを接続するためのアース側接続用端子を具備する試験端子を用いて複数の試験端子への電圧の加圧状態を判定する方法であって、各試験端子の制御電圧加圧側と無加圧側との間に装着される短絡バーを外した状態において前記アース側接続用端子同士を接続してスイッチと抵抗を介してアースに接続した後、前記スイッチをＯＮしたときの前記表示手段の点灯状態に基づいて前記試験端子の電圧の有無および／または極性を判定することを特徴とする。
【００１０】
本発明では、試験端子にアース側接続用端子を設け、抵抗とスイッチを外付けにすることによって、複数の試験端子の表示手段の点灯状態の確認を一括して行うようにする。
【発明の効果】
【００１１】
本発明によれば、表示手段の点灯状態によって電力設備の配線の確認を簡便に行うことができ、電力設備の試験や動作の確認を安全かつ正確に行うことができる。
【発明を実施するための最良の形態】
【００１２】
以下、本発明の実施の形態を説明する。図１は、第１の実施の形態による試験端子の回路図であり、図２ａ，図２ｂはその概観図の一例である。
【００１３】
図１で、上位側の試験端子１は、図２ａに示すように従来の試験端子１Ｘの中に、表示手段１０を組み込み、その表示手段１０は、試験端子１Ｘの先端部に取り付けた例えば赤、緑の２灯式のＬＥＤ１１と、試験端子の内蔵した２個のダイオード１２，１３で構成される。赤のＬＥＤ１１のアノード端子ＲとＬＥＤ１１のカソード端子Ｋ間に逆方向にダイオード１２を並列に接続し、同じくＬＥＤ１１のカソード端子Ｋと緑のアノード端子Ｇ間に正方向に直列にダイオード１３を挿入し、赤のアノード端子Ｒは、試験端子１Ｘに接続し、緑のアノード端子Ｇを引き出しケーブル１４で図２ａに示すように試験端子の下部を通して引き出した構成とする。図２ｂは、この引き出しケーブル１４の代わりに引き出し端子１４Ａとしたものである。表示手段１０を試験端子に組み込む方法として、試験端子１の金属に軸を中空にして、その内部に表示手段１０を絶縁モールドして、試験端子の先端に表示素子１１が取り付けられ、後尾にアースに接続される引き出しケーブル１４または引き出し端子１４Ａが装備される。
【００１４】
この試験端子１の外部に、スイッチ２１と高抵抗２２でアースＥに接続する試験手段２０を設け、前記ケーブル１４または端子１４Ａに接続する。また、図１に示すように試験端子に加圧される直流電源＋極Ｐ，−極Ｎは、この電源回路の保護用に地絡保護継電器１１０がこの電源に接続されていることを前提にする。この地絡保護継電器１１０は、電源の地絡を検出するため＋極Ｐと−極Ｎのそれぞれが高抵抗１１１，１１２でアースＥに接続されている。
【００１５】
この状態において本発明の作用を図３ａ、３ｂで、外部の試験手段２０内のスイッチ２１は、閉状態として説明する。図３ａは、試験端子１に＋極性が加圧されたときの電流の流れを示し、図３ｂは、試験端子１に−極性加圧されたときの電流の流れを示す。図３ａにおける＋極性が試験端子に加圧されると、ＬＥＤ１１の赤のアノード端子Ｒからカソード端子Ｋにダイオード１３を介し、そして外部に接続した高抵抗２２と地絡継電器１１０内の−極側の高抵抗１１２を介して電流がながれ、赤のＬＥＤが点灯する。次に試験端子１に−極性が加圧された電流の流れを図３ｂで説明する。試験端子１に−極性が加圧されると、地絡保護継電器１１０の＋極に接続された高抵抗１１１から外部高抵抗２２、ＬＥＤ１１の緑のアノード端子Ｇからカソード端子Ｋへ、そしてダイオード１２を通って試験端子部から−極に電流が流れ、緑が点灯する。
【００１６】
図４は、上記発明の応用例であり、多くの試験端子１−１、１−２、・・・１−５を装備した保護回路１００の前記試験端子の引き出しケーブルまたは引き出し端子を一括外部確認手段２０に接続して電圧の有無や極性が確認できる。
試験端子の形状として、上位側の試験端子と下位側の試験端子が個別の用品として構成されている上記の用品以外に、前記両端子が一つの器具として構成されているものにも、本発明の表示手段１０を組み込むこともできる。
【００１７】
以上、本実施の形態によれば、外部または、保護継電装置の盤面にスイッチと抵抗を１式装備することで保護継電装置などの回路や動作の試験を容易に実施することができる。
【産業上の利用可能性】
【００１８】
本発明は、電力系統における試験端子を装備する保護継電装置や配電盤などの試験や監視に利用することができる。
【図面の簡単な説明】
【００１９】
【図１】本発明の実施の形態による試験端子の回路図である。
【図２ａ】図１の試験端子の概観図である。
【図２ｂ】図１の試験端子の他の実施例による概観図である。
【図３ａ】図１の回路構成における電流の流れ図である。（＋が印加されたとき）
【図３ｂ】図１の回路構成における電流の流れ図である。（−が印加されたとき）
【図４】本発明の実施の形態による試験方法の応用例である。
【符号の説明】
【００２０】
１、１Ｘ  試験端子
２  保護継電装置のトリップ接点
１０  表示手段
１１  ２灯式ＬＥＤ
１２、１３  ダイオード
１４,１４Ａ  引き出しケーブルまたは引き出し端子
２０  外部確認手段
２１  スイッチ
２２  高抵抗
１１０  地絡保護継電器
１１１，１１２  内部高抵抗
【図１】
2007322360.tif 000003
【図２ａ】
2007322360.tif 000004
【図２ｂ】
2007322360.tif 000005
【図３ａ】
2007322360.tif 000006
【図３ｂ】
2007322360.tif 000007
【図４】
2007322360.tif 000008